(57)【特許請求の範囲】
【請求項１】
下階建物ユニットの両側の天井梁の上に、セットバック配置された上階建物ユニットの前面の床梁の両端部を搭載してなるユニット建物の補強構造において、
下階建物ユニットの天井フレームの面内で、上階建物ユニットの前面の床梁の端部が搭載される下階建物ユニットの天井梁に沿う位置に、補強フレームを設けてなり、
前記補強フレームは、前記下階建物ユニットの両側の天井梁のそれぞれに交差して相対向する天井梁の間に架け渡される補強梁を有し、該補強梁と、この補強梁と対向する天井梁との間に架け渡される複数本の小梁を有し、各小梁の一端が補強梁の長手方向の複数位置に溶接され、各小梁の他端には１枚の長尺取付プレートが溶接され、この長尺取付プレートが補強梁に対向する天井梁に固定されてなることを特徴とするユニット建物の補強構造。
【請求項２】
前記各建物ユニットが床梁と天井梁と柱で構成されるユニットであることを特徴とする請求項１に記載のユニット建物の補強構造。
【請求項３】
前記下階建物ユニットの天井梁がＣ形鋼であることを特徴とする請求項２に記載のユニット建物の補強構造。
【請求項４】
前記下階建物ユニットの相対向する天井梁の間に架け渡される補強梁が、該補強梁の両端に溶接された取付プレートをそれらの天井梁に接合されてなることを特徴とする請求項１〜３のいずれかに記載のユニット建物の補強構造。
【請求項５】
前記下階建物ユニットの相対向する天井梁と前記補強梁とが、該天井梁のＣ形鋼の上下のフランジ間に設けられた補強プレートを介して接合されてなることを特徴とする請求項３又は４に記載のユニット建物の補強構造。
【請求項６】
前記下階建物ユニットの補強梁と対向する天井梁と前記小梁の他端に溶接した長尺取付プレートとが、該天井梁のＣ形鋼の上下のフランジ間に設けられた補強プレートを介して接合されてなることを特徴とする請求項３に記載のユニット建物の補強構造。
【請求項７】
前記下階建物ユニットの両側の天井梁の中間部と前記上階建物ユニットの前面の床梁とが接合されてなることを特徴とする請求項１〜６のいずれかに記載のユニット建物の補強構造。
【請求項８】
前記下階建物ユニットの補強フレームと前記上階建物ユニットの前面の床梁とが接合されてなることを特徴とする請求項７に記載のユニット建物の補強構造。
【請求項９】
前記上階建物ユニットが、両側の相対向する床梁の間に架け渡される小梁の上に床面材を固定してなることを特徴とする請求項７又は８に記載のユニット建物の補強構造。
【請求項１０】
前記下階建物ユニットの両側の補強フレームに挟まれる領域で、前記上階建物ユニットが搭載されていない領域に、天窓を設けることを特徴とする請求項１〜９のいずれかに記載のユニット建物の補強構造。
【請求項１１】
前記下階建物ユニットの両側の補強フレームに挟まれる領域で、前記上階建物ユニットが搭載されていない領域に、傾斜天井を設けることを特徴とする請求項１〜９のいずれかに記載のユニット建物の補強構造。
【発明の詳細な説明】
【技術分野】
【０００１】
本発明はユニット建物の補強構造に関する。
【背景技術】
【０００２】
従来のユニット建物として、図１７に記載の如く、下階建物ユニット１の上に、セットバック配置された上階建物ユニット２を搭載して構築されるものがある。このユニット建物では、上階建物ユニット２に作用する地震力、風圧力等の水平荷重を適切に下階建物ユニット１に伝達するため、下階建物ユニット１の上階建物ユニット２が搭載されている天井面と、搭載されていない天井面のそれぞれに、Ｘ字状に交差する水平ブレース３Ａ、３Ｂを設けている。これにより、下階建物ユニット１と上階建物ユニット２の接合部に水平構面を形成し、上階建物ユニット２に作用する水平荷重がこの水平構面により下階建物ユニット１に伝達される。
【０００３】
また、特許文献１に記載のユニット建物では、２個の小型建物ユニットを接合した下階建物ユニットの上に、セットバック配置された上階建物ユニットを搭載している。上階建物ユニットは下階建物ユニットの一方の小型建物ユニットの上にだけ搭載される。２個の小型建物ユニットの相互に接合された天井梁により構成される補強梁と、２個の小型建物ユニットの相互に接合された柱により構成される補強柱により、下階建物ユニットの構造強度を向上するものである。
【先行技術文献】
【特許文献】
【０００４】
【特許文献１】特開平10-252152
【発明の概要】
【発明が解決しようとする課題】
【０００５】
図１７に示した従来のユニット建物では、下階建物ユニット１の天井面に水平ブレース３Ａ、３Ｂを設けるため、それらの天井面に吹抜、天窓等の部分開口４（図１６（Ｂ））を設置できず、傾斜天井も設置できない。
【０００６】
特許文献１に記載のユニット建物では、下階建物ユニットを２個の小型建物ユニットの接合体により構成する必要があり、コスト高になる。また、下階建物ユニットの補強梁を構成するように相互に接合された２個の小型建物ユニットの天井梁と、上階建物ユニットの前面の床梁とが重複して配置され、コスト高になる。
【０００７】
本発明の課題は、下階建物ユニットの上に、セットバック配置された上階建物ユニットを搭載してなるユニット建物の補強構造において、下階建物ユニットと上階建物ユニットの接合部に簡易に水平構面を形成するとともに、それらの接合部に部分開口や傾斜天井を設置可能にすることにある。
【課題を解決するための手段】
【０００８】
請求項１に係る発明は、下階建物ユニットの両側の天井梁の上に、セットバック配置された上階建物ユニットの前面の床梁の両端部を搭載してなるユニット建物の補強構造において、下階建物ユニットの天井フレームの面内で、上階建物ユニットの前面の床梁の端部が搭載される下階建物ユニットの天井梁に沿う位置に、補強フレームを設けてなり、前記補強フレームは、前記下階建物ユニットの両側の天井梁のそれぞれに交差して相対向する天井梁の間に架け渡される補強梁を有し、該補強梁と、この補強梁と対向する天井梁との間に架け渡される複数本の小梁を有し、各小梁の一端が補強梁の長手方向の複数位置に溶接され、各小梁の他端には１枚の長尺取付プレートが溶接され、この長尺取付プレートが補強梁に対向する天井梁に固定されてなるようにしたものである。
【０００９】
請求項２に係る発明は、請求項１に係る発明において更に、前記各建物ユニットが床梁と天井梁と柱で構成されるユニットであるようにしたものである。
【００１０】
請求項３に係る発明は、請求項２に係る発明において更に、前記下階建物ユニットの天井梁がＣ形鋼であるようにしたものである。
【００１１】
請求項４に係る発明は、請求項１〜３のいずれかに係る発明において更に、前記下階建物ユニットの相対向する天井梁の間に架け渡される補強梁が、該補強梁の両端に溶接された取付プレートをそれらの天井梁に接合されてなるようにしたものである。
【００１２】
請求項５に係る発明は、請求項３又は４に係る発明において更に、前記下階建物ユニットの相対向する天井梁と前記補強梁とが、該天井梁のＣ形鋼の上下のフランジ間に設けられた補強プレートを介して接合されてなるようにしたものである。
【００１３】
請求項６に係る発明は、請求項３に係る発明において更に、前記下階建物ユニットの補強梁と対向する天井梁と前記小梁の他端に溶接した長尺取付プレートとが、該天井梁のＣ形鋼の上下のフランジ間に設けられた補強プレートを介して接合されてなるようにしたものである。
【００１４】
請求項７に係る発明は、請求項１〜６のいずれかに係る発明において更に、前記下階建物ユニットの両側の天井梁の中間部と前記上階建物ユニットの前面の床梁とが接合されてなるようにしたものである。
【００１５】
請求項８に係る発明は、請求項７に係る発明において更に、前記下階建物ユニットの補強フレームと前記上階建物ユニットの前面の床梁とが接合されてなるようにしたものである。
【００１６】
請求項９に係る発明は、請求項７又は８に係る発明において更に、前記上階建物ユニットが、両側の相対向する床梁の間に架け渡される小梁の上に床面材を固定してなるようにしたものである。
【００１７】
請求項１０に係る発明は、請求項１〜９のいずれかに係る発明において更に、前記下階建物ユニットの両側の補強フレームに挟まれる領域で、前記上階建物ユニットが搭載されていない領域に、天窓を設けるようにしたものである。
【００１８】
請求項１１に係る発明は、請求項１〜９のいずれかに係る発明において更に、前記下階建物ユニットの両側の補強フレームに挟まれる領域で、前記上階建物ユニットが搭載されていない領域に、傾斜天井を設けるようにしたものである。
【発明の効果】
【００１９】
（請求項１）
(a)下階建物ユニットの天井フレームの面内で、上階建物ユニットの前面の床梁の両端部が搭載される下階建物ユニットの両側の天井梁のそれぞれに沿う位置に、両側の補強フレームのそれぞれを設ける。この補強フレームにより、水平ブレースを用いることなく、上階建物ユニットがセットバック配置されて搭載される下階建物ユニットの天井面に水平構面が形成される。上階建物ユニットに作用する水平荷重が、この水平構面により安定的に下階建物ユニットに伝達され、下階建物ユニットの天井梁にねじれを生じない。
【００２０】
（請求項２）
(b)前記上下階の各建物ユニットが床梁と天井梁と柱で構成されるユニットであり、前記補強フレームは前記下階建物ユニットの両側の天井梁のそれぞれに交差して相対向する天井梁の間に架け渡される補強梁を有して構成される。
【００２２】
（請求項３）
(c)前記下階建物ユニットの天井梁がＣ形鋼により構成される。
（請求項４）
(d)前記下階建物ユニットの相対向する天井梁の間に架け渡される補強梁が、該補強梁の両端に溶接された取付プレートをそれらの天井梁に強固に接合される。
【００２３】
（請求項５）
(e)前記下階建物ユニットの天井梁と前記補強梁とが、該天井梁のフランジ間に設けられた補強プレートを介して強固に接合される。
【００２４】
（請求項６）
(f)前記下階建物ユニットの天井梁と前記小梁とが、該天井梁のフランジ間に設けられた補強プレートを介して強固に接合される。
【００２５】
（請求項７）
(g)前記下階建物ユニットの両側の天井梁の中間部と前記上階建物ユニットの前面の床梁とが接合される。これにより、上階建物ユニットの床面と、補強フレームを設置した下階建物ユニットの天井面とが構造的に合成され、下階建物ユニットの両側の天井梁と、これらに交差して相対向する天井梁と、上階建物ユニットの前面の床梁とからなる水平構面のための枠組が形成される。上階建物ユニットがセットバック配置されて搭載される下階建物ユニットの天井面に強固な水平構面が形成されるものになる。
【００２６】
（請求項８）
(h)前記下階建物ユニットの補強フレームと前記上階建物ユニットの前面の床梁とが接合される。これにより、上階建物ユニットの床面と、補強フレームを設置した下階建物ユニットの天井面とが構造的に合成され、下階建物ユニットの両側の天井梁と、これらに交差して相対向する天井梁と、上階建物ユニットの前面の床梁とからなる水平構面のための枠組が形成される。上階建物ユニットがセットバック配置されて搭載される下階建物ユニットの天井面に一層強固な水平構面が形成される。大きな水平荷重が作用する高層階建物で、上階建物ユニットがセットバック配置されて搭載される下階建物ユニットの天井面の補強構造として採用できる。
【００２７】
（請求項９）
(i)前記上階建物ユニットが、両側の相対向する床梁の間に架け渡される小梁の上に床面材を固定して構成される。これにより、上述(g)、(h)で、上階建物ユニットの床梁と小梁と床面材からなる高い構造強度の床面が、下階建物ユニットの天井面と構造的に合成されるものになり、下階建物ユニットの天井面に一層強固な水平構面が形成される。
【００２８】
（請求項１０）
(j)前記下階建物ユニットの両側の補強フレームに挟まれる領域で、前記上階建物ユニットが搭載されていない領域に、水平ブレースがないから、天窓を設けることができる。
【００２９】
（請求項１１）
(k)前記下階建物ユニットの両側の補強フレームに挟まれる領域で、前記上階建物ユニットが搭載されていない領域に、水平ブレースがないから、傾斜天井を設けることができる。
【図面の簡単な説明】
【００３０】
【図１】図１はユニット建物を示す模式図である。
【図２】図２は建物ユニットを示す斜視図である。
【図３】図３は建物ユニットに設けた補強フレームを示す斜視図である。
【図４】図４は補強フレームを設けた建物ユニットの要部を示す平面図である。
【図５】図５は図４のV-V線に沿う矢視図である。
【図６】図６は図４のVI-VI線に沿う矢視図である。
【図７】図７は補強フレームの接合構造を示し、（Ａ）は図４のVII-VII線に沿う矢視図、（Ｂ）は（Ａ）の平面図である。
【図８】図８は補強フレームの接合構造を示し、（Ａ）は図４のVIII-VIII線に沿う矢視図、（Ｂ）は（Ａ）の平面図である。
【図９】図９は天井根太の取付過程を示す斜視図である。
【図１０】図１０は補強フレームの取付過程を示す斜視図である。
【図１１】図１１は上階建物ユニットの床梁と下階建物ユニットの天井梁の中間部との接合構造を示す模式断面図である。
【図１２】図１２は上階建物ユニットの床梁と下階建物ユニットの補強フレームとの接合構造を示す模式断面図である。
【図１３】図１３は天窓を設けたユニット建物を示す模式図である。
【図１４】図１４は傾斜天井を設けたユニット建物を示す模式図である。
【図１５】図１５は傾斜天井を示す断面図である。
【図１６】図１６は天窓を備えた傾斜天井を示す断面図である。
【図１７】図１７は従来のユニット建物を示す模式図である。
【発明を実施するための形態】
【００３１】
図１に示したユニット建物１００は、建物の一部を取出して示したものであり、建物の一部において、下階建物ユニット１０の上に、セットバック配置された上階建物ユニット２０を搭載して構築されるものである。
【００３２】
下階建物ユニット１０は、図２（Ａ）に示す如く、各４本のＣ形鋼からなる床梁１１、角鋼管からなる柱１２、Ｃ形鋼からなる天井梁１３を直方体状に接合した骨組構造体であり、柱１２の柱脚に接続ピース１２Ａを介して床梁１１を接合し、柱１２の柱頭に接続ピース１２Ｂを介して天井梁１３を接合している。
【００３３】
上階建物ユニット２０は、図２（Ｂ）に示す如く、各４本のＣ形鋼からなる床梁２１、角鋼管からなる柱２２、Ｃ形鋼からなる天井梁２３を直方体状に接合した骨組構造体であり、柱２２の柱脚に接続ピース２２Ａを介して床梁２１を接合し、柱２２の柱頭に接続ピース２２Ｂを介して天井梁２３を接合している。
【００３４】
下階建物ユニット１０とセットバック配置された上階建物ユニット２０は、それらの桁方向長さ（長辺側の床梁１１と天井梁１３の長さ、床梁２１と天井梁２３の長さ）を同じにし、セットバック配置された上階建物ユニット２０の妻方向長さ（短辺側の床梁２１と天井梁２３の長さ）を下階建物ユニット１０の妻方向長さ（短辺側の床梁１１と天井梁１３の長さ）より小さくしている。
【００３５】
ユニット建物１００は、下階建物ユニット１０の両側の妻側天井梁１３（短辺側の天井梁１３）の中間部の上に、セットバック配置された上階建物ユニット２０の桁側前面（長辺側の床梁２１と天井梁２３を含む前面）の床梁２１の両端部を搭載している。これにより、セットバック配置された上階建物ユニット２０の前面は下階建物ユニット１０の前面に対しそれらの妻方向長さの差分だけ後退配置される。図１のユニット建物１００は、１階建物ユニット１０の上に２階のセットバック配置された上階建物ユニット２０を搭載したものであるが、本発明では、２階建物ユニット１０の上に３階のセットバック配置された上階建物ユニット２０を搭載するもの等であっても良い。
【００３６】
尚、下階建物ユニット１０では、両側の相対向する桁側床梁１１の間に複数本の角鋼管からなる小梁１４を架け渡すとともに、各妻側床梁１１とこれに相対する小梁１４との間に木質補助根太１５を架け渡し、これらの桁側と妻側の床梁１１と小梁１４と補助根太１５の上に床面材（不図示）を固定している。
【００３７】
また、下階建物ユニット１０では、両側の相対向する桁側の天井梁１３の間に複数本の木質天井根太１６を架け渡すとともに、各妻側天井梁１３とこれに相対する天井根太１６との間に木質補助根太１７を架け渡し、これらの桁側と妻側の天井梁１３と天井根太１６と補助根太１７の下に天井面材（図１１、図１２の天井面材１８）を固定している。尚、天井根太１６と桁側天井梁１３の接合構造は、図９に示す如く、天井根太１６の両端に固定された取付プレート１６Ａを、桁側天井梁１３の上下のフランジ間に嵌合して溶接したコ字断面の補強プレート１３Ａにボルト止め（ボルト１６Ｂ）することにて構成される。
【００３８】
また、上階建物ユニット２０では、両側の相対向する桁側の床梁２１の間に複数本の角鋼管からなる小梁２４を架け渡すとともに、各妻側床梁２１とこれに相対する小梁２４との間に木質補助根太２５を架け渡し、これらの桁側と妻側の床梁２１と小梁２４と補助根太２５の上に床面材（不図示）を固定している。
【００３９】
また、上階建物ユニット２０では、両側の相対向する桁側の天井梁２３の間に複数本の木質天井根太２６を架け渡すとともに、各妻側天井梁２３とこれに相対する天井根太２６との間に木質補助根太２７を架け渡し、これらの桁側と妻側の天井梁２３と天井根太２６と補助根太２７の下に天井面材（不図示）を固定している。
【００４０】
ユニット建物１００は、下階建物ユニット１０と上階建物ユニット２０の接合部に簡易に水平構面を形成するとともに、それらの接合部に部分開口や傾斜天井を設置可能にするため、以下の補強構造を有する。
【００４１】
ユニット建物１００は、図１、図３、図４に示す如く、下階建物ユニット１０の妻側と桁側の各２本の天井梁１３を接合してなる四角枠状の天井フレームの面内で、上階建物ユニット２０の桁側前面の床梁２１の両端部が搭載される、下階建物ユニット１０の両側の妻側天井梁１３のそれぞれに沿う位置に、両側の補強フレーム３０のそれぞれを設けている。補強フレーム３０は、下階建物ユニットの天井フレームの面内で、前述の天井根太１６、補助根太１７の上部に設置される。
【００４２】
ユニット建物１００の補強構造は、具体的には以下の通りである（図３〜図１６）
(1)補強フレーム３０は、図３〜図５に示す如く、下階建物ユニット１０の両側の妻側天井梁１３のそれぞれに交差して相対向する桁側天井梁１３の間に架け渡される角鋼管からなる補強梁３１を有する。
【００４３】
補強梁３１と桁側天井梁１３とは、補強梁３１の両端に溶接された取付プレート３１Ａを、桁側天井梁１３の上下のフランジ間に嵌合して溶接した前述の補強プレート１３Ａにボルト止め（ボルト３１Ｂ）することにて接合される（図５、図１０）。
【００４４】
(2)補強フレーム３０は、図３、図４、図６に示す如く、上述(1)の補強梁３１と、この補強梁３１に対向する妻側天井梁１３との間に架け渡される複数本の小梁３２、３３を有する。
【００４５】
小梁３２は、図７に示す如く、広幅断面の角鋼管からなり、補強梁３１の長手方向の中央に一端を溶接される。小梁３３は、図８に示す如く、狭幅断面の角鋼管からなり、補強梁３１の長手方向の両端側のそれぞれに一端を溶接される。小梁３２の他端の上面には取付プレート３２Ａが溶接され、小梁３２と小梁３３の各他端の端面には１枚の長尺取付プレート３４が溶接される（図１０）。小梁３２と小梁３３の取付プレート３４が妻側天井梁１３の上下のフランジ間に嵌合されて溶接したコ字断面の補強プレート１３Ｂにボルト止め（ボルト３４Ａ）される（図１０）。小梁３２の取付プレート３２Ａは、妻側天井梁１３の上面に載置される。この取付プレート３２Ａは、下階建物ユニット１０の上に上階建物ユニット２０が搭載されるとき、下階建物ユニット１０の妻側天井梁１３と上階建物ユニット２０の妻側天井梁２１とに挟まれるスペーサとなり、ボルト３２Ｂによりそれらの天井梁１３、２１とともに締結される（図１０）。
【００４６】
(3)下階建物ユニット１０の両側の妻側天井梁１３と、上階建物ユニット２０の両側の妻側床梁２１とが接合される。
【００４７】
即ち、図１１に示す如く、上階建物ユニット２０の両側の妻側床梁２１のそれぞれが、それらの両端側の接続ピース２２Ａを、下階建物ユニット１０の妻側天井梁１３の一端側の接続ピース１２Ｂと中間部（取付プレート３２Ａ）とに、ボルト止め（ボルト４１及び前述のボルト３２Ｂ）されて接合される。
【００４８】
(4)下階建物ユニット１０の補強フレーム３０と、上階建物ユニット２０の前面の桁側床梁２１とが接合される。
【００４９】
即ち、図１２に示す如く、上階建物ユニット２０の前面の桁側床梁２１及び接続ピース２２Ａと、補強フレーム３０の小梁３２（又は小梁３３）（補強梁３１でも可）とが、ボルト止め（ボルト４２）されて接合される。尚、図１２にあっては、小梁３２をＣ形鋼からなるものにし、小梁３２のＣ形断面の鉛直下向き開口から挿着されたボルト４２を、小梁３２のＣ形断面のフランジから上階建物ユニット２０の桁側床梁２１及び接続ピース２２Ａに締結可能にしている。
【００５０】
しかるに、ユニット建物１００にあっては、図１３に示す如く、下階建物ユニット１０の両側の補強フレーム３０に挟まれる領域で、上階建物ユニット２０が搭載されていない領域に、天窓５０（又は吹抜等のその他の部分開口）を設けることができる。
【００５１】
また、ユニット建物１００にあっては、図１４に示す如く、下階建物ユニット１０の両側の補強フレーム３０に挟まれる領域で、上階建物ユニット２０が搭載されていない領域に、傾斜天井６０を設けることができる。図１５は傾斜天井６０の具体的構造を示し、図１６は傾斜天井６０に設けた天窓５０の具体的構造を示す。
【００５２】
従って、本実施例によれば以下の作用効果を奏する。
(a)下階建物ユニット１０の天井フレームの面内で、上階建物ユニット２０の前面の床梁２１の両端部が搭載される下階建物ユニット１０の両側の天井梁１３のそれぞれに沿う位置に、両側の補強フレーム３０のそれぞれを設ける。この補強フレーム３０により、水平ブレースを用いることなく、上階建物ユニット２０がセットバック配置されて搭載される下階建物ユニット１０の天井面に水平構面が形成される。上階建物ユニット２０に作用する水平荷重が、この水平構面により安定的に下階建物ユニット１０に伝達され、下階建物ユニット１０の天井梁１３にねじれを生じない。
【００５３】
(b)前記上下階の各建物ユニット１０、２０が床梁１１、２１と天井梁１３、２３と柱１２、２２で構成されるユニットであり、前記補強フレーム３０は前記下階建物ユニット１０の両側の天井梁１３のそれぞれに交差して相対向する天井梁１３の間に架け渡される補強梁３１を有して構成される。
【００５４】
(c)前記下階建物ユニット１０に設けられる補強フレーム３０が前記補強梁３１と対向する天井梁１３との間に小梁３２、３３を架け渡して構成される。
【００５５】
(d)前記下階建物ユニット１０の天井梁１３がＣ形鋼により構成される。
【００５６】
(e)前記下階建物ユニット１０の天井梁１３と前記補強梁３１とが、該天井梁１３のフランジ間に設けられた補強プレート１３Ａを介して強固に接合される。
【００５７】
(f)前記下階建物ユニット１０の天井梁１３と前記小梁３２、３３とが、該天井梁１３のフランジ間に設けられた補強プレート１３Ｂを介して強固に接合される。
【００５８】
(g)前記下階建物ユニット１０の両側の天井梁１３の中間部と前記上階建物ユニット２０の前面の床梁２１とが接合される。これにより、上階建物ユニット２０の床面と、補強フレーム３０を設置した下階建物ユニット１０の天井面とが構造的に合成され、下階建物ユニット１０の両側の天井梁１３と、これらに交差して相対向する天井梁１３と、上階建物ユニット２０の前面の床梁２１とからなる水平構面のための枠組が形成される。上階建物ユニット２０がセットバック配置されて搭載される下階建物ユニット１０の天井面に強固な水平構面が形成されるものになる。
【００５９】
(h)前記下階建物ユニット１０の補強フレーム３０と前記上階建物ユニット２０の前面の床梁２１とが接合される。これにより、上階建物ユニット２０の床面と、補強フレーム３０を設置した下階建物ユニット１０の天井面とが構造的に合成され、下階建物ユニット１０の両側の天井梁１３と、これらに交差して相対向する天井梁１３と、上階建物ユニット２０の前面の床梁２１とからなる水平構面のための枠組が形成される。上階建物ユニット２０がセットバック配置されて搭載される下階建物ユニット１０の天井面に一層強固な水平構面が形成される。大きな水平荷重が作用する高層階建物で、上階建物ユニット２０がセットバック配置されて搭載される下階建物ユニット１０の天井面の補強構造として採用できる。
【００６０】
(i)前記上階建物ユニット２０が、両側の相対向する床梁２１の間に架け渡される小梁２４の上に床面材を固定して構成される。これにより、上述(g)、(h)で、上階建物ユニット２０の床梁２１と小梁２４と床面材からなる高い構造強度の床面が、下階建物ユニット１０の天井面と構造的に合成されるものになり、下階建物ユニット１０の天井面に一層強固な水平構面が形成される。
【００６１】
(j)前記下階建物ユニット１０の両側の補強フレーム３０に挟まれる領域で、前記上階建物ユニット２０が搭載されていない領域に、水平ブレースがないから、天窓５０を設けることができる。
【００６２】
(k)前記下階建物ユニット１０の両側の補強フレーム３０に挟まれる領域で、前記上階建物ユニット２０が搭載されていない領域に、水平ブレースがないから、傾斜天井６０を設けることができる。
【００６３】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００６４】
本発明は、下階建物ユニットの両側の天井梁の上に、セットバック配置された上階建物ユニットの前面の床梁の両端部を搭載してなるユニット建物の補強構造において、下階建物ユニットの天井フレームの面内で、上階建物ユニットの前面の床梁の両端部が搭載される下階建物ユニットの両側の天井梁のそれぞれに沿う位置に、両側の補強フレームのそれぞれを設けた。これにより、下階建物ユニットの上に、セットバック配置された上階建物ユニットを搭載してなるユニット建物の補強構造において、下階建物ユニットと上階建物ユニットの接合部に簡易に水平構面を形成するとともに、それらの接合部に部分開口や傾斜天井を設置できる。
【符号の説明】
【００６５】
１０  上階建物ユニット
１１  床梁
１２  柱
１３  天井梁
１３Ａ、１３Ｂ  補強プレート
１４  小梁
２０  上階建物ユニット
２１  床梁  
２２  柱
２３  天井梁
２４  小梁
３０  補強フレーム
３１  補強梁
３２、３３  小梁
３４  長尺取付プレート
５０  天窓
６０  傾斜天井
１００  ユニット建物
【図１】
0005836100.tif 000002
【図２】
0005836100.tif 000003
【図３】
0005836100.tif 000004
【図４】
0005836100.tif 000005
【図５】
0005836100.tif 000006
【図６】
0005836100.tif 000007
【図７】
0005836100.tif 000008
【図８】
0005836100.tif 000009
【図９】
0005836100.tif 000010
【図１０】
0005836100.tif 000011
【図１１】
0005836100.tif 000012
【図１２】
0005836100.tif 000013
【図１３】
0005836100.tif 000014
【図１４】
0005836100.tif 000015
【図１５】
0005836100.tif 000016
【図１６】
0005836100.tif 000017
【図１７】
0005836100.tif 000018